(57)【特許請求の範囲】
【請求項１】
内箱と、該内箱が挿入される筒状の外スリーブとからなるスライド式紙箱であって、前記内箱は、内箱前面板、内箱底面板、内箱後面板、内箱天面板がそれぞれ折罫を介してこの順で設けられて該折罫で折られているとともに、該内箱前面板または該内箱底面板または該内箱後面板または該内箱天面板のいずれかの両側に対向する左外面板および右外面板が折罫を介して設けられて該折罫で折られており、前記外スリーブは、スリーブ天面板、スリーブ前面板、スリーブ底面板、スリーブ後面板がそれぞれ折罫を介して設けられており、前記内箱と前記外スリーブのいずれか一方に、切取線により切り取り可能に形成された切取つまみ部を設け、該切取つまみ部が他方に易切断線を介して接続しているとともに、前記内箱の対向する左外面板および右外面板からなる２つの外面板のうち一方の外面板が前記外スリーブの対向する前記スリーブ前面板および前記スリーブ後面板のうち２つのスリーブ面板のうち一方のスリーブ面板側に、他方の外面板が他方のスリーブ面板側に長く延びていることを特徴とするスライド式紙箱。
【請求項２】
前記外スリーブの対向するスリーブ前面板とスリーブ後面板のうち一方のスリーブ面板が、他方のスリーブ面板より小さく形成されていることを特徴とする請求項１に記載のスライド式紙箱。
【請求項３】
前記外スリーブに窓部が設けられ、前記切取つまみ部が前記窓部を通して露出していることを特徴とする請求項１または２記載のスライド式紙箱。
【請求項４】
前記外スリーブを筒状にするために貼着するスリーブ貼着板に、前記切取つまみ部が設けられ、前記スリーブ貼着板の外面に貼着するスリーブ面板に、前記切取つまみ部が露出するように、窓部が設けられていることを特徴とする請求項１または２記載のスライド式
紙箱。
【請求項５】
前記内箱のいずれかの内面板に内容物を振り出すための振出口が設けられていることを特徴とする請求項１から４のいずれかに記載のスライド式紙箱。
【請求項６】
前記スリーブ前面板と前記スリーブ後面板のうち大きいスリーブ面板の一端部より、小さいスリーブ面板の同じ側の端部まで、前記内箱をスライドさせたときに、前記振出口が露出するように形成されていることを特徴とする請求項５に記載（但し、請求項２、請求項３（但し請求項２引用部分に限る）、請求項４（但し請求項２引用部分に限る）に限る）のスライド式紙箱。
【発明の詳細な説明】
【技術分野】
【０００１】
本発明は、スライド式紙箱に関するものである。特に、不正開封防止機能を有するスライド式紙箱に関するものである。
【背景技術】
【０００２】
錠剤やカプセル形状の内容物を収納する包装容器には、プラスチックのケースや、ガラスやプラスチックのボトルなどが多く用いられている。また、近年、廃棄物処理の問題で紙製の容器が好まれ、特にスライド式の紙箱が用いられるようになってきた。
【０００３】
スライド式の紙箱は、内箱と外側のスリーブからなっていて、内容物が錠剤やカプセル形状の場合、内箱に内容物を取り出すための振出口が設けられていて、スリーブをスライドさせることによって、振出口を露出させ、内容物を取り出すようになっている。
【０００４】
このようなスライド式の紙箱は簡単に開封できてしまい、不正に開封される恐れがある。そのため、紙箱全体をシュリンクフィルムで包装して流通させているのが一般的である。しかし、シュリンクフィルムで包装するにはシュリンクフィルムが必要になり、また、シュリンク包装する設備や手間がかかり、コストアップなる。このため、内箱と外側のスリーブを連結しておいて、初めて開封するときに、連結を解除して開封するようにして、不正開封を防止している紙箱がある。
【０００５】
例えばこのようなものとしては、切離片の両側に、貼着側板を外端にして、各中側板を折罫を介して一方方向に連設し、また、切離片上に位置するように穿設された切離孔を備えた接続側板を外端にして各側板を、折罫を介して他方方向に連設し、；各折罫を介して夫々を折り曲げて、貼着側板を切離片に隣接した中側板の内側に重合糊着して引出中箱（内箱）を形成すると共に、引出中箱の外側を各側板で囲むように各中側板に各側板を重合して、切離片に隣接した側板の外側に接続側板を重合糊着して外箱を形成し、切離片が切離孔を介して露出している引出中箱付包装用箱がある（特許文献１）。
【０００６】
この箱の場合、初めて開封するときに、切離孔から指を入れて切離片を切除することになるが、切除しにくいといった使い勝手の問題があった。
【０００７】
また、別のスライド式の紙箱としては、一枚のブランクシートから一体的に打ち抜かれた箱体形成片からなり、この箱体形成片は外箱形成片と内箱形成片が一体に連接し、内箱の一側面上方に中身の振出口となる開口部が形成され、外箱形成片と内箱形成片の境界線に沿ってミシン目が設けられているスライド式振出口付パッケージがある（特許文献２）。
【０００８】
この箱では、初めて開封するときには、外箱の下方の切り欠きに露出する内箱を、上方に押し上げてミシン目を切断して、外箱と内箱を分離する。そのため、ミシン目を切断するのに要する力が強いと、開けづらく内箱がつぶれてしまう恐れがあり、逆に、ミシン目を切断するのに要する力が弱いと、流通上で切断されてしまう恐れがあり、ミシン目の設計、加工に繊細さを要するといった問題があった。
【０００９】
公知文献を以下に示す。
【先行技術文献】
【特許文献】
【００１０】
【特許文献１】実開昭６１−９９５１４号公報
【特許文献２】特開平９−２６７８２０号公報
【発明の概要】
【発明が解決しようとする課題】
【００１１】
本発明は上記のような事情に鑑みてなされたもので、内箱と外スリーブからなるスライド式紙箱であって、内箱と外スリーブが接続していることによって不正開封防止機能を有し、初回開封前に内箱と外スリーブが誤って分離される恐れがなく、初回開封には容易に分離させ、開封することのできるスライド式紙箱を提供することを課題としている。
【課題を解決するための手段】
【００１２】
本発明は係る課題に鑑みなされたものであり、請求項１の発明は、内箱と、該内箱が挿入される筒状の外スリーブとからなるスライド式紙箱であって、前記内箱は、内箱前面板、内箱底面板、内箱後面板、内箱天面板がそれぞれ折罫を介してこの順で設けられて該折罫で折られているとともに、該内箱前面板または該内箱底面板または該内箱後面板または該内箱天面板のいずれかの両側に対向する左外面板および右外面板が折罫を介して設けられて該折罫で折られており、前記外スリーブは、スリーブ天面板、スリーブ前面板、スリーブ底面板、スリーブ後面板がそれぞれ折罫を介して設けられており、前記内箱と前記外スリーブのいずれか一方に、切取線により切り取り可能に形成された切取つまみ部を設け、該切取つまみ部が他方に易切断線を介して接続しているとともに、前記内箱の対向する左外面板および右外面板からなる２つの外面板のうち一方の外面板が前記外スリーブの対向する前記スリーブ前面板および前記スリーブ後面板のうち２つのスリーブ面板のうち一方のスリーブ面板側に、他方の外面板が他方のスリーブ面板側に長く延びていることを特徴とするスライド式紙箱である。
本発明の請求項２の発明は、前記外スリーブの対向するスリーブ前面板とスリーブ後面板のうち一方のスリーブ面板が、他方のスリーブ面板より小さく形成されていることを特徴とする請求項１に記載のスライド式紙箱である。
【００１３】
本発明の請求項３の発明は、前記外スリーブに窓部が設けられ、前記切取つまみ部が前記窓部を通して露出していることを特徴とする請求項１または２記載のスライド式紙箱である。
【００１４】
本発明の請求項４の発明は、前記外スリーブを筒状にするために貼着するスリーブ貼着板に、前記切取つまみ部が設けられ、前記スリーブ貼着板の外面に貼着するスリーブ面板に、前記切取つまみ部が露出するように、窓部が設けられていることを特徴とする請求項１または２記載のスライド式紙箱である。
【００１５】
本発明の請求項５の発明は、前記内箱のいずれかの内面板に内容物を振り出すための振出口が設けられていることを特徴とする請求項１から４のいずれかに記載のスライド式紙箱である。
【００１６】
本発明の請求項６の発明は、前記スリーブ前面板と前記スリーブ後面板のうち大きいスリーブ面板の一端部より、小さいスリーブ面板の同じ側の端部まで、前記内箱をスライドさせたときに、前記振出口が露出するように形成されていることを特徴とする請求項５に記載（但し、請求項２、請求項３（但し請求項２引用部分に限る）、請求項４（但し請求項２引用部分に限る）に限る）のスライド式紙箱である。
【発明の効果】
【００１７】
本発明のスライド式紙箱は、内箱と外スリーブのいずれか一方に、切り取り可能に形成された切取つまみ部が設けられ、切取つまみ部が他方に易切断線を介して接続しているので、不正開封防止機能を有し、初回開封前に内箱と外スリーブが誤って分離される恐れがなく、初回開封には切取つまみ部を取り去って容易に分離させ、開封することができる。
【図面の簡単な説明】
【００１８】
【図１】本発明のスライド式紙箱の一例を模式的に斜視で示した説明図である。
【図２】本発明のスライド式紙箱の一例のブランクを模式的に平面で示した説明図である。
【図３】本発明のスライド式紙箱の一例の製造過程の一段階を説明する模式的な平面図である。
【図４】本発明のスライド式紙箱の一例の製造過程の次の段階を説明する模式的な平面図である。
【図５】本発明のスライド式紙箱の一例を開封した状態を模式的に斜視で示した説明図である。
【図６】本発明のスライド式紙箱の他の例を模式的に斜視で示した説明図である。
【発明を実施するための形態】
【００１９】
以下、本発明を実施するための形態につき説明する。
図１は、本発明のスライド式紙箱の一例を模式的に斜視で示した説明図、図２は、本発明のスライド式紙箱の一例のブランクを模式的に平面で示した説明図である。
【００２０】
本例のスライド式紙箱１００は、図１の斜視図に示すように、外スリーブ１と内箱２からなり、内箱２が角筒状の外スリーブ１に挿入されている。外スリーブ１のスリーブ天面板１１からスリーブ前面板１２にかけて窓部１３が設けられている。本例では窓部１３を打ち抜き孔で設けたが、端縁からの切り欠きによって窓部を設けてもよい。
【００２１】
窓部１３を通して、スリーブ天面板１１の裏面に貼着されているスリーブ貼着板１４が見えていて、スリーブ貼着板１４には、その左右中央部分に下端の２箇所から上方に向かい、上部で接続する切取線１５により切取つまみ部１６が設けられている。切取線１５は、切れ目が繋ぎ部分を介して線状に形成されている。また、本例のように、Ｙ字型の切れ目を用いて形成してもよい。
【００２２】
切取つまみ部１６は、内箱２の内箱前面板２１と易切断線３で接続していて、切取つまみ部１６以外の部分では、スリーブ貼着板１４は内箱前面板２１と接続していない。易切断線３も切れ目が繋ぎ部分を介して線状に並んで形成されている。
【００２３】
このスライド式紙箱１００は、図２のブランク１０１を製函して製造する。図２のように、外スリーブ１と内箱２の部分が、易切断線３により接続している。図の上部からスリーブ天面板１１とスリーブ前面板１２が折罫を介して設けられ、スリーブ天面板１１からスリーブ前面板１２にかけて、窓部１３が打ち抜かれて設けられている。スリーブ天面板１１は、左側の端縁が傾いて上辺が下辺より短い台形になっている。
【００２４】
スリーブ前面板１２の下方には、スリーブ底面板１７、スリーブ後面板１８、スリーブ貼着板１４がそれぞれ折罫を介して設けられている。スリーブ貼着板１４はスリーブ天面板１１と略同形状、スリーブ底面板１７はスリーブ天面板１１の上下を反転させた形状に形成されている。そして、スリーブ前面板１２はスリーブ後面板１８より小さく形成されている。
【００２５】
スリーブ天面板１１は、製函する時に、その裏面をスリーブ貼着板１４の外面に重ねあわされて、貼着される。スリーブ天面板１１とスリーブ貼着板１４に示した斜線部分は貼着する部分を示している。
【００２６】
易切断線３で切取つまみ部１６と接続している内箱２の部分は、切取つまみ部１６と接続している内箱前面板２１、内箱底面板２２、内箱後面板２３、内箱天面板２４、内箱貼着板２５が、それぞれ折罫を介してこの順で設けられている。
【００２７】
内箱天面板２４から内箱後面板２３にかけて、内容物を取り出すための振出口２６が設けられている。内箱貼着板２５は内箱前面板２１の裏面に貼着する。貼着する範囲をそれぞれに斜線で示す。
【００２８】
内箱前面板２１と内箱後面板２３の左右には、フラップ２７、２７、２７、２７がそれぞれ設けられている。内箱底面板２２の左側には左内面板２８、右側には右内面板２９が設けられている。また、内箱天面板２４の左側には左外面板３０、右側には右外面板３１が設けられている。
【００２９】
左外面板３０は内箱天面板２４より内箱後面板２３側の上に長く延びていて、右外面板３１は内箱天面板２４より内箱後面板２３側の上に、内箱貼着板２５側の下に長く延びている。この延びた部分が、開封後の内箱２のスライドする範囲を規制するようになっている。詳細は後述する。
【００３０】
以下、ブランクからスライド式紙箱を製函する製造工程について説明する。
図３は、本発明のスライド式紙箱の一例の製造過程の一段階を説明する模式的な平面図、図４は、本発明のスライド式紙箱の一例の製造過程の次の段階を説明する模式的な平面図である。
【００３１】
まず、図２のブランク１０１を、内箱天面板２４と内箱後面板２３の間の折罫で内側に折り畳む。次に、内箱前面板２１と内箱底面板２２の間の折罫で内側に折り畳む。これにより、内箱貼着板２５の外面に、内箱前面板２１の裏面が重なるので、それぞれの斜線部分を接着剤などで貼着する。これによりスライド式紙箱１００は、図３のようになる。
【００３２】
次に、スリーブ貼着板１４とスリーブ後面板１８の間の折罫で内側に折り畳み、スリーブ前面板１２とスリーブ底面板１７の間の折罫で内側に折り畳むと、スリーブ貼着板１４の外面に、スリーブ天面板１１の裏面が重なるので、それぞれの斜線部分を接着剤などで貼着する。
【００３３】
これにより、スライド式紙箱１００は、図４のように、折り畳まれた状態になる。この状態は容積が小さい状態であるので、内容物充填前に、保管したり、輸送したりするのに便利である。
【００３４】
さらに、この折り畳まれた状態から、スリーブ底面板１７とスリーブ後面板１８の間の折罫、および、スリーブ天面板１１とスリーブ前面板１２の間の折罫を折って、外スリーブ１を角筒状にする。このとき、内箱２の内箱底面板２２と内箱後面板２３の間の折罫、および、内箱天面板２４と内箱貼着板２５の間の折罫を折って、内箱２も同時に角筒状にする。
【００３５】
そして、フラップ２７、２７、２７、２７をそれぞれ内側に倒し、左内面板２８を内側に倒し、さらに、左外面板３０を内側に倒して、左内面板２８の外面に重ね合わせて接着し、筒状の内箱２の左開放端を塞ぐ。
【００３６】
次に、右内面板２９を内側に倒し、さらに、右外面板３１を内側に倒して、右内面板２９の外面に重ね合わせて接着し、筒状の内箱２の右開放端を塞ぐ。これにより、図１のようなスライド式紙箱１００が製函される。尚、左開放端と右開放端のどちらを先に塞いでもよい。
【００３７】
内容物の充填は、筒状の内箱２の左右いずれかの開放端を塞いだ後、開いている方の開放端より内容物を充填する。その後、開いている方の開放端を塞いで、内容物の充填されたスライド式紙箱１００を製造する。
【００３８】
スライド式紙箱１００は、外スリーブ１と内箱２が易切断線３により接続しているので、内箱２をスライドさせて、振出口２６を開けることができない。開けるためには、切取線１５を切断して、切取つまみ部１６を引っ張り、易切断線３を切断して、切取つまみ部１６を切取除去しなければならない。
【００３９】
切取つまみ部１６を切取除去すると開封されたことが明確にわかり、不正開封防止にな
る。また、内箱２の内箱天面板２４の切取つまみ部１６と対向する位置に、切り取ったことが判るように開封済みの表示などを施して、判りやすくしておくこともできる。
【００４０】
次に、スライド式紙箱１００を開封し、内容物を取り出す方法について説明する。
図５は、本発明のスライド式紙箱の一例を開封した状態を模式的に斜視で示した説明図、図６は、本発明のスライド式紙箱の他の例を模式的に斜視で示した説明図である。
【００４１】
図１のようなスライド式紙箱１００を始めて開封するには、切取つまみ部１６の上端を持って上に引っ張って切取線１５を切断し、さらに易切断線３を切断して、切取つまみ部１６を切り取る。
【００４２】
このとき、図６のスライド式紙箱２００のように、切取つまみ部１６の上端部分が、下端部分になるような貫通孔１９を設けておくと、切取つまみ部１６の上端を持つのが更に容易になる。
【００４３】
切取つまみ部１６を切り取ると、易切断線３が切断され、外スリーブ１と内箱２が分離されるので、筒状の外スリーブ１の中を内箱２がスライドできるようになる。スライドさせると、図５のように、振出口２６が現れ、内容物を取り出すことができる。
【００４４】
このとき、左外面板３０は、ブランク１０１のときに内箱天面板２４より内箱後面板２３側の上に長く延ばしていたので、後側に長く延びていて、スリーブ後面板１８に当たり、この位置で止まり、内箱２が外スリーブ１から抜けてしまうことがない。
【００４５】
内容物を取り出した後、閉めるには、内箱２を外スリーブ１の筒の中で元の位置にスライドさせればよい。このとき、右外面板３１は、ブランク１０１のときに内箱天面板２４より内箱後面板２３側の上に、内箱貼着板２５側の下に長く延ばしていたので、前後に長く延びていて、スリーブ後面板１８の右端に当たり、この位置で止まり、内箱２が外スリーブ１から抜けてしまうことがない。このように、内箱２が外スリーブ１の中でスライドする範囲が規制され、使いやすい。
【００４６】
以上のように、本発明のスライド式紙箱は、内箱と外スリーブのいずれか一方に、切り取り可能に形成された切取つまみ部が設けられ、切取つまみ部が他方に易切断線を介して接続しているので、切取つまみ部を切り取って易切断線を切断しなければ、開封することができず、切取つまみ部を切り取ると外観が変わるので、開封したことが判り、不正開封防止機能を有する。
【００４７】
初回開封前には、易切断線で内箱と外スリーブが接続しているので、内箱と外スリーブが誤って分離され、開封される恐れがない。特に、外スリーブに設けられた窓部の内側に切取つまみ部や易切断線があるので、窪んだ内側になり、誤って触られる恐れが少ない。
【００４８】
そして、初回開封するとき、切取線で形成された切取つまみ部があるのでつまみ易く、指でつまんで引っ張れば容易に取り去ることができるので、内箱と外スリーブを接続させている易切断線を切断して、容易に分離させ、開封することができる。
【符号の説明】
【００４９】
１００、２００・・・スライド式紙箱
１０１・・・ブランク
１・・・外スリーブ
２・・・内箱
３・・・易切断線
１１・・・スリーブ天面板
１２・・・スリーブ前面板
１３・・・窓部
１４・・・スリーブ貼着板
１５・・・切取線
１６・・・切取つまみ部
１７・・・スリーブ底面板
１８・・・スリーブ後面板
１９・・・貫通孔
２１・・・内箱前面板
２２・・・内箱底面板
２３・・・内箱後面板
２４・・・内箱天面板
２５・・・内箱貼着板２５
２６・・・振出口
２７・・・フラップ
２８・・・左内面板
２９・・・右内面板
３０・・・左外面板
３１・・・右外面板
【図１】
0006657554.tif 000002
【図２】
0006657554.tif 000003
【図３】
0006657554.tif 000004
【図４】
0006657554.tif 000005
【図５】
0006657554.tif 000006
【図６】
0006657554.tif 000007